(57)【要約】      （修正有）【課題】簡素な構成で魚の当たりを報知することができる釣り具を提供する。【解決手段】ロッド２とリール３とを有する釣り具１において、リール３から延びる釣糸４を誘導する開口５３ａが形成された開口部材を有し、開口部材とロッド２の先端部２ａとは、２つの連結部材５，６により連結されており、一方の連結部材５は、開口部材とロッド２の先端部２ａとの間において所定以上の力により分離されるようになっており、一方の連結部材５が分離されたときに他方の連結部材６が開口部材とロッド２の先端部２ａとの間で連結状態となっている。【選択図】図１
2019154355.tif 000002
【特許請求の範囲】
【請求項１】
ロッドとリールとを有する釣り具において、
前記リールから延びる釣糸を誘導する開口が形成された開口部材を有し、前記開口部材と前記ロッドの先端部とは、２つの連結部材により連結されており、
一方の前記連結部材は、前記開口部材と前記ロッドの先端部との間において所定以上の力により分離されるようになっており、
一方の前記連結部材が分離されたときに他方の前記連結部材が前記開口部材と前記ロッドの先端部との間で連結状態となっていることを特徴とする釣り具。
【請求項２】
一方の前記連結部材は、前記ロッドに接続される第１分割体と、前記開口部材に接続される第２分割体と、有し、前記第１分割体と前記第２分割体とが着脱可能に構成された断接装置を備えていることを特徴とする請求項１に記載の釣り具。
【請求項３】
前記第１分割体と前記第２分割体とは磁力結合されていることを特徴とする請求項２に記載の釣り具。
【請求項４】
前記第１分割体及び前記第２分割体の一方には、前記第１分割体及び前記第２分割体の他方を収容する略有底筒状の収容部が設けられていることを特徴とする請求項２または３に記載の釣り具。
【請求項５】
前記第２分割体は、前記開口部材を一体に備えることを特徴とする請求項２ないし４のいずれかに記載の釣り具。
【請求項６】
他方の前記連結部材は、一方の前記連結部材よりも長く形成されていることを特徴とする請求項１ないし５のいずれかに記載の釣り具。
【請求項７】
前記第１分割体と前記第２分割体との間の磁力を調整可能であることを特徴とする請求項３ないし６のいずれかに記載の釣り具。
【発明の詳細な説明】
【技術分野】
【０００１】
本発明は、ロッドとリールとを有する釣り具に関する。
【背景技術】
【０００２】
一般的に魚を釣る際には、釣竿であるロッドと、釣糸の巻き取り及び送り出しを行うリールと、を有する釣り具が用いられており、リールから延びる釣糸をロッドのガイド（開口部材）に通して誘導し、釣糸をロッドの動きにより操作可能となっている。
【０００３】
また、ロッドとリールとを有する釣り具を用いた漁法の一つとして、釣糸に付けた疑似餌を海中に投入し、船を走らせながら疑似餌を引く引き縄漁があり、マグロ、カツオ、サワラ等の比較的大きな魚を釣る際に多く用いられる。このような引き縄漁においては、船の動きに加えて、ロッドにより釣糸を動かし、海中の疑似餌に小魚のような動きを与えるしゃくり動作を行うことで、魚が食いつくように誘う方法が知られている。しゃくり動作には、水の抵抗などにより大きな力が必要であるため、モータを有する駆動装置によりロッドを駆動させてしゃくり動作を行うことが一般的に行われている。
【０００４】
上記のようにしゃくり動作を駆動装置により行う場合には、ロッドのしなりを目視で確認して魚が食いついたこと（以下では、単に当たりということもある）を判断することとなるが、食いついた魚の種類や潮の流れ及び風等のコンディションによりロッドのしなりが変化するため、その判断が難しかった。そこで、特許文献１に示されるような釣り具が開発されている。
【０００５】
特許文献１に示される釣り具は、光ファイバで構成された釣糸と、釣糸の先端に取付けられる釣針と、該釣針に設けられる歪検出器と、歪検出器の光歪信号により魚が食いついたか否かを判断する制御装置と、を備え、歪検出器は、釣糸を介して制御装置に接続されている。釣針に歪が生じた際には、その歪を歪検出器が検出し、歪検出器は、釣糸を通して光歪信号を制御装置に送信し、制御装置は、光歪信号の大きさが所定以上の場合に魚の当たりを判断できるようになっている。また、このような釣り具を用いれば、魚の当たりを判断したときに、魚の当たりを周知の報知手段により報知したり、駆動装置に操作信号を送信してロッドやリールを釣り上げ方向に操作することが可能となる。
【先行技術文献】
【特許文献】
【０００６】
【特許文献１】特開昭６３−３０９１２５号公報（第２頁、第１図）
【発明の概要】
【発明が解決しようとする課題】
【０００７】
しかしながら、特許文献１の釣り具にあっては、魚の当たりを報知するために、歪検出器、光ファイバ、制御装置、報知手段などにより電気回路を構成する必要があり、部品点数も多くなるため、複雑な構造となってしまうという問題があった。また、該電気回路の一部を水中で使用することから、衝撃や水没などにより故障してしまう虞があった。
【０００８】
本発明は、このような問題点に着目してなされたもので、簡素な構成で魚の当たりを報知することができる釣り具を提供することを目的とする。
【課題を解決するための手段】
【０００９】
前記課題を解決するために、本発明の釣り具は、
ロッドとリールとを有する釣り具において、
前記リールから延びる釣糸を誘導する開口が形成された開口部材を有し、前記開口部材と前記ロッドの先端部とは、２つの連結部材により連結されており、
一方の前記連結部材は、前記開口部材と前記ロッドの先端部との間において所定以上の力により分離されるようになっており、
一方の前記連結部材が分離されたときに他方の前記連結部材が前記開口部材と前記ロッドの先端部との間で連結状態となっていることを特徴としている。
この特徴によれば、魚が餌に食いついたときに、釣糸がロッドから離れる方向に所定以上の力で引っ張られることにより、一方の連結部材が分離され、他方の前記連結部材が開口部材とロッドの先端部との間で連結状態となっているため、魚の当たりを視覚的に報知することができ、簡素な構造とすることができる。
【００１０】
一方の前記連結部材は、前記ロッドに接続される第１分割体と、前記開口部材に接続される第２分割体と、有し、前記第１分割体と前記第２分割体とが着脱可能に構成された断接装置を備えていることを特徴としている。
この特徴によれば、第１分割体と第２分割体とが着脱可能であるため、一方の連結部材を繰り返し使用することができる。
【００１１】
前記第１分割体と前記第２分割体とは磁力結合されていることを特徴としている。
この特徴によれば、磁力以上の力が第１分割体と第２分割体との間に作用することにより、第１分割体と第２分割体とが即座に分離するため、作動応答性が良好である。
【００１２】
前記第１分割体及び前記第２分割体の一方には、前記第１分割体及び前記第２分割体の他方を収容する略有底筒状の収容部が設けられていることを特徴としている。
この特徴によれば、収容部により第１分割体と第２分割体との他方の移動方向がガイドされるため、所定以上の力が作用したときに第１分割体と第２分割体との分離方向を安定させることができる。
【００１３】
前記第２分割体は、前記開口部材を一体に備えることを特徴としている。
この特徴によれば、開口部材に作用する力を第２分割体に直接伝えることができるため、第１分割体と第２分割体とを即座に分離させることができる。
【００１４】
他方の前記連結部材は、一方の前記連結部材よりも長く形成されていることを特徴としている。
この特徴によれば、一方の連結部材の連結状態から他方の連結部材の連結状態への移行を簡単な構成で行うことができる。
【００１５】
前記第１分割体と前記第２分割体との間の磁力を調整可能であることを特徴としている。
この特徴によれば、狙う魚の種類やコンディションなどに対する汎用性が高い。
【図面の簡単な説明】
【００１６】
【図１】本発明の実施例１における釣り具を示す図であり、（ａ）は、第１連結部材による第１連結状態を示す側面図であり、（ｂ）は、第２連結部材による第２連結状態を示す側面図である。
【図２】（ａ）は、実施例１における第１連結部材の構造を示す側面図であり、（ｂ）は、実施例１における第２連結部材の構造を示す側面図である。
【図３】（ａ）及び（ｂ）は、実施例１における第１連結部材を構成するクラッチ装置の構造を示す分解斜視図である。
【図４】実施例１における第１連結部材を構成するクラッチ装置の構造を示す断面図である。
【図５】（ａ）及び（ｂ）は、実施例１における第１連結部材の第１連結状態におけるクラッチ装置の配置関係を示す側面図である。
【図６】（ａ）及び（ｂ）は、クラッチ装置の変形例１を示す断面図である。
【図７】クラッチ装置の変形例２を示す断面図である。
【図８】本発明の実施例２における釣り具を示す図であり、（ａ）は、第１連結部材を構成するクラッチ装置の構造を示す斜視図であり、（ｂ）は、同じく側面図である。
【図９】本発明の実施例３における釣り具を示す図であり、（ａ）及び（ｂ）は、第１連結部材を構成するクラッチ装置の構造を示す断面図である。
【発明を実施するための形態】
【００１７】
本発明に係る釣り具を実施するための形態を実施例に基づいて以下に説明する。
【実施例１】
【００１８】
実施例１に係る釣り具につき、図１から図５を参照して説明する。以下、図１の紙面正面側から釣り具を見たときの上下左右方向を基準として説明する。
【００１９】
図１に示されるように、釣り具１は、ロッド２と、リール３と、リール３から延びる釣糸４とロッド２の先端部２ａとの間を連結する第１連結部材５（一方の連結部材）及び第２連結部材６（他方の連結部材）と、から主に構成されており、釣糸４とロッド２の先端部２ａとの間を第１連結部材５にテンションが作用した状態で連結する第１連結状態（図１（ａ）参照）と、第２連結部材６にテンションが作用した状態で連結する第２連結状態（図１（ｂ）参照）と、に変更可能となっている。尚、本実施例における釣り具１は、釣糸４に付けた疑似餌（図示略）を海中に投入し、船を走らせながら疑似餌を引く引き縄漁に適用される形態を例示する。
【００２０】
図１に示されるように、ロッド２は、リング状の先端部２ａを備えており、先端部２ａには、第１連結部材５及び第２連結部材６の右端部がそれぞれ挿通された状態で接続されている。また、ロッド２の下端部は、モータを有する駆動装置（図示略）に接続されており、ロッド２を釣糸４の送り出し方向（紙面左側）と釣り上げ方向（紙面右側）とにそれぞれ所定角度傾けるように往復駆動可能となっている。
【００２１】
リール３は、ロッド２よりも釣糸４の送り出し側、かつロッド２の先端部２ａよりも下方に設置され、ロッド２の先端部２ａに接続される第１連結部材５（後述するクラッチ装置５０）の左端部に形成される貫通孔５３ａ（開口）に対して、リール３から延びる釣糸４を挿通した状態で巻き取り及び送り出しを行なっている。尚、本実施例のリール３は、よく知られた構成であるため、詳しい説明を省略する。
【００２２】
尚、リール３から延びる釣糸４を第１連結部材５の左端部に形成される貫通孔５３ａに挿通してガイドすることにより、ロッド２の往復駆動に合わせてロッド２の剛性が第１連結部材５を介して釣糸４に作用するため、釣糸４に付けた海中の疑似餌にしゃくり動作を付与することができる。
【００２３】
図１及び図２（ａ）に示されるように、第１連結部材５は、第１分割体５１と第２分割体５２とが着脱可能に構成されるクラッチ装置５０（断接装置）と、クラッチ装置５０（第１分割体５１）の右端部に形成される貫通孔５１ｄに対して挿通された状態で接続され、クラッチ装置５０とロッド２の先端部２ａとの間を連結する線材５６と、から主に構成されている。尚、線材５６には、強度の高い釣糸や金属製のワイヤ等が用いられることが好ましい。
【００２４】
図１及び図２（ｂ）に示されるように、第２連結部材６は、弾性を有する２本のゴム部材６０，６１から構成され、ゴム部材６０，６１の一端部にそれぞれ設けられる端部が開放したフック６０ａ，６１ａ同士が係合することにより着脱可能に接続されている。また、ゴム部材６０の他端部（右端部）は、ロッド２の先端部２ａに挿通された状態で接続され、ゴム部材６１の他端部（左端部）は、第１連結部材５（クラッチ装置５０）の左端部に形成される貫通孔５３ａに挿通された状態で接続されている。尚、第２連結部材６は、線状のゴム部材６０，６１から構成されるものに限らず、例えば金属ワイヤ等から構成されていてもよい。
【００２５】
また、第２連結部材６の長さＬ２は、第１連結部材５の長さＬ１よりも長く形成されている（Ｌ２＞Ｌ１）。
【００２６】
次いで、第１連結部材５を構成するクラッチ装置５０について詳しく説明する。図３に及び図４示されるように、クラッチ装置５０は、軸方向右側（ロッド２側）を構成する第１分割体５１と、軸方向左側（釣糸４側）を構成する第２分割体５２と、から主に構成されている。
【００２７】
第１分割体５１は、ステンレス鋼等の金属製であり、円筒部５１ａと、円筒部５１ａの軸方向右端の径方向中心から右方に突出する略円柱状の突出部５１ｃと、から構成され、円筒部５１ａには、軸方向左側に開口する有底円筒状の収容部５１ｂが形成されている（図３（ａ）参照）。また、突出部５１ｃには、径方向に貫通する貫通孔５１ｄが形成され、貫通孔５１ｄには、第１連結部材５を構成する線材５６の左端部が挿通された状態で接続されている（図１及び図２（ａ）参照）。
【００２８】
第２分割体５２は、軸方向左端部に径方向に貫通する貫通孔５３ａが形成される略円柱状の開口部材５３と、略円柱状の磁石５４と、から構成され、磁石５４の軸方向左端の径方向中心に形成される雌ネジ部５４ａ（図３（ａ）参照）に対して、開口部材５３の軸方向右端部に形成される雄ネジ部５３ｂが螺合されることにより、開口部材５３と磁石５４とが一体に接続されている。尚、磁石５４は、いわゆる永久磁石であり、外径が第１分割体５１の収容部５１ｂの内径よりも僅かに小さく形成されることにより、第１分割体５１の収容部５１ｂの内周面に磁石５４の外周面をガイドさせた状態で挿嵌可能となっている。
【００２９】
このように、クラッチ装置５０は、第１分割体５１の収容部５１ｂ内に第２分割体５２を構成する磁石５４を挿嵌することにより、第１分割体５１と第２分割体５２とを磁力結合させることができる。また、第１分割体５１の収容部５１ｂの底面と第２分割体５２の磁石５４の軸方向右端との間に生分解性の樹脂や紙等の非磁性体から成る円板状の調整シム５５を介在させることにより、第１分割体５１と第２分割体５２との間に作用する磁力を調整し、第１分割体５１と第２分割体５２を軸方向に作用する所定以上の力により分離可能な状態で連結することができる。尚、調整シム５５は、繰り返し使用する場合には、第１分割体５１の収容部５１ｂの底面または第２分割体５２の軸方向右端に対して粘着材等により仮固定されることが好ましい。さらに尚、調整シム５５を金属から構成することにより、磁石５４に付着させ、繰り返し使用できるようにしてもよい。
【００３０】
また、クラッチ装置５０は、釣り具１の第１連結状態において、第１分割体５１と第２分割体５２とを磁力結合させた状態で、第２分割体５２の軸方向左端部を構成する開口部材５３の貫通孔５３ａに釣糸４が挿通され、第１分割体５１の軸方向右端部を構成する突出部５１ｃの貫通孔５１ｄに線材５６が接続されている。これによれば、ロッド２を釣糸４の送り出し方向（図５（ａ）参照）または釣り上げ方向（図５（ｂ）参照）にそれぞれ所定角度傾けるように往復駆動しても、開口部材５３の貫通孔５３ａを介して送り出し方向に延びる釣糸４の延長線上にクラッチ装置５０の軸心が保持されるため、クラッチ装置５０に対して釣糸４から伝達されるテンションが常時作用した状態なっている。すなわち、釣糸４から伝達されるテンションの変化に対するクラッチ装置５０の作動応答性が高められている。
【００３１】
尚、本実施例のクラッチ装置５０は、ロッド２を往復駆動させて海中の疑似餌にしゃくり動作を付与する際に釣糸４から伝達されるテンションによって第１分割体５１と第２分割体５２との間に作用する軸方向の力よりも、第１分割体５１と第２分割体５２との間の磁力結合力が大きくなるように調整される。
【００３２】
次いで、釣り具１の使用方法について説明する。釣り具１は、先ず、ロッド２の先端部２ａに対して第１連結部材５の線材５６及び第２連結部材６のゴム部材６０をそれぞれ接続し、第１連結部材５を構成する第１分割体５１の貫通孔５３ａに第２連結部材６のゴム部材６１を接続した後、釣糸４を挿通し、釣糸４の一端をリール３に固定することにより組み付けられる（図１（ａ）参照）。
【００３３】
次に、釣糸４の他端部に付けた疑似餌を船から海中に投入し、船を走らせながら疑似餌を引くとともに、ロッド２を往復駆動させて海中の疑似餌にしゃくり動作を付与する。このとき、釣り具１は、釣糸４とロッド２の先端部２ａとの間を第１連結部材５にテンションが作用した状態で連結する第１連結状態となっている（図５参照）。
【００３４】
次に、魚が疑似餌に食いつくことにより、釣糸４が送り出し側（ロッド２から離れる方向）に所定以上の力で引っ張られると、クラッチ装置５０に対して釣糸４から伝達されるテンションが第１分割体５１と第２分割体５２との間の磁力結合力を上回ることにより、第１分割体５１の収容部５１ｂ内から第２分割体５２の磁石５４が抜け出し、第１分割体５１と第２分割体５２とが分離する。これにより、釣り具１は、釣糸４とロッド２の先端部２ａとの間を第２連結部材６にテンションが作用した状態で連結する第２連結状態（図１（ｂ）参照）となり、魚の当たりを視覚的に報知することができる。
【００３５】
このとき、第２連結部材６を介して第２分割体５２がロッド２の先端部２ａに接続されているため、第１分割体５１と第２分割体５２とが分離した際に、第２分割体５２が釣糸４の送り出し側に飛んでいくことを防止できるとともに、過剰な釣糸４の送り出しを抑制することができる。また、第１分割体５１と第２分割体５２とが分離することにより、第１連結部材５と第２連結部材６の長さの違い（Ｌ２＞Ｌ１）によって釣糸４が僅かに送り出された後、釣り具１が第２連結状態に変更されるため、魚の食いつきに合わせて釣糸４のテンションを変化させ疑似餌の針のかかりを大きくすることができる。さらに、第２連結部材６は、ゴム部材６０，６１から構成されているため、ゴム部材６０，６１の弾性により釣り具１が第２連結状態に変更された際の衝撃を緩和することができる。
【００３６】
また、釣り具１の第２連結状態から、第２連結部材６を構成するゴム部材６０，６１におけるフック６０ａ，６１ａの係合を解除することにより、リール３の巻き上げ操作を行いやすくすることができる。
【００３７】
また、クラッチ装置５０を構成する第１分割体５１と第２分割体５２とは、磁力結合されているため、第１分割体５１と第２分割体５２との間に磁力結合力を上回る力が作用することにより、第１分割体５１と第２分割体５２とが確実に分離するため、第１連結部材５の作動応答性及び作動安定性が良い。また、クラッチ装置５０を繰り返し使用することができる。
【００３８】
また、第１分割体５１と第２分割体５２とが分離する際に、第１分割体５１の収容部５１ｂの内周面に対して第２分割体５２の磁石５４の外周面が摺接することにより、第２分割体５２の軸方向への移動がガイドされるため、第１分割体５１と第２分割体５２との分離方向を軸方向に安定させることができる。さらに、第１分割体５１と第２分割体５２との分離方向が軸方向となることから、釣糸４から伝達されるテンションに対するクラッチ装置５０の応答性を高めることができる。
【００３９】
また、第２分割体５２は、開口部材５３と磁石５４とが一体に接続されているため、釣糸４を介して開口部材５３に作用する力を磁石５４に直接伝えることができ、釣糸４から伝達されるテンションに対する応答性を高めることができる。
【００４０】
また、クラッチ装置５０における第１分割体５１と第２分割体５２との間の磁力を調整シム５５により調整可能であるため、狙う魚の種類や天候等のコンディションの変化に対する汎用性が高い。
【００４１】
尚、実施例１における調整シム５５の変形例１として、図６（ａ）に示されるように、軸方向の厚みを変更した調整シム１５５を介在させる、あるいは、図６（ｂ）に示されるように、複数枚の調整シム５５を介在させることにより、第１分割体５１の収容部５１ｂの底面と第２分割体５２の磁石５４の軸方向右端との間隔を広げて磁力を調整してもよい。また、第１分割体５１の収容部５１ｂの底面または第２分割体５２の磁石５４の軸方向右端に対してネジを螺合させ、ネジの締め具合により軸方向の突出量を調整可能に構成してもよい。
【００４２】
また、実施例１における第１分割体５１の変形例１として、図７に示されるように、第１分割体５１に形成される収容部５１ｂの内周面に沿って低摩擦層５７を設けることにより、第１分割体５１と第２分割体５２とが分離する際に第１分割体５１の収容部５１ｂから第２分割体５２の磁石５４を抜け出しやすくし、釣糸４から伝達されるテンションに対する作動応答性を高めることができる。
【実施例２】
【００４３】
次に、実施例２に係る釣り具につき、図８を参照して説明する。尚、前記実施例に示される構成部分と同一構成部分については同一符号を付して重複する説明を省略する。
【００４４】
実施例２における釣り具について説明する。図８に示されるように、本実施例において、クラッチ装置２５０を構成する第１分割体２５１には、円筒部２５１ａの軸方向右端部に周方向に延びるスリット２５１ｅが形成されることにより、例えばスリット２５１ｅからマイナスドライバ等を差し込んで第１分割体５１の収容部５１ｂの底面に対して粘着材等により仮固定される調整シム５５を取外しやすくすることができる。
【実施例３】
【００４５】
次に、実施例３に係る釣り具につき、図９を参照して説明する。尚、前記実施例に示される構成部分と同一構成部分については同一符号を付して重複する説明を省略する。
【００４６】
実施例３における釣り具について説明する。図９（ａ）に示されるように、本実施例において、クラッチ装置３５０を構成する第１分割体３５１には、収容部３５１ｂの軸方向左側の内周面に径方向に凹部３５１ｅが形成され、凹部３５１ｅ内には略三角形状の規制片３５１ｆがバネ３５１ｇにより内径方向に付勢された状態で配置されることにより、収容部３５１ｂ内において、規制片３５１ｆが径方向に出没可能に構成されている。また、クラッチ装置３５０を構成する第２分割体３５２の円柱部材３５４は、軸方向の長さが第１分割体３５１の収容部３５１ｂの底面から凹部３５１ｅの軸方向右側までの軸方向の長さと略同一に形成されている。
【００４７】
これによれば、魚が疑似餌に食いつくことにより、釣糸４が送り出し側（ロッド２から離れる方向）に所定以上の力で引っ張られると、クラッチ装置３５０に対して釣糸４から伝達されるテンションが第２分割体３５２に作用し、第２分割体３５２の円柱部材３５４の軸方向左方に移動しながら規制片３５１ｆをバネ３５１ｇの付勢力に抗して凹部３５１ｅ内に向けて外径方向に押し込み、規制片３５１ｆ全体が凹部３５１ｅ内に埋没することにより、第１分割体３５１の収容部３５１ｂ内から第２分割体３５２の円柱部材３５４が抜け出し、第１分割体３５１と第２分割体３５２とが分離する（図９（ｂ）参照）。
【００４８】
以上、本発明の実施例を図面により説明してきたが、具体的な構成はこれら実施例に限られるものではなく、本発明の要旨を逸脱しない範囲における変更や追加があっても本発明に含まれる。
【００４９】
例えば、前記実施例１では、第１連結部材５は、クラッチ装置５０を構成する第１分割体５１と第２分割体５２とが磁力結合される構成として説明したが、第１分割体と第２分割体とを所定以上の力により分離可能に連結できるものであれば、例えば第１分割体と第２分割体との間に面ファスナや粘着材等が設けられていてもよい。また、クラッチ装置は、磁石による磁力結合力と、面ファスナや粘着材等による接着力とを組み合わせて構成されてもよい。
【００５０】
また、前記実施例１では、第２分割体５２を構成する開口部材５３と磁石５４が一体に接続されるものとして説明したが、磁石５４と第２分割体５２とは別体に設けられていてもよく、磁石５４は、第１分割体の収容部内に設けられていてもよい。さらに、開口部材は、磁石５４とは別体で設けられていてもよく、この場合、開口部材は、磁石に対して線材を介して接続されることにより、釣糸４の延長線上にクラッチ装置の軸心が配置されやすくなる。また、開口部材を磁石に対して軸方向に伸縮可能なバネを介して接続することにより、クラッチ装置に対して釣糸４から伝達されるテンションの一部をバネにより吸収し、第１分割体と第２分割体とを分離させるために必要な力を調整するようにしてもよい。
【００５１】
また、前記実施例におけるクラッチ装置において、ロッド２に接続される第１分割体と開口部材５３に接続される第２分割体は、逆方向に入れ替えて構成されていてもよい。
【００５２】
また、第１分割体と第２分割体は、円柱状または円筒形状に構成されるものに限らない。
【００５３】
また、前記実施例では、第１連結部材５は、第１分割体と第２分割体とが着脱可能に構成されることにより、繰り返し使用可能なクラッチ装置を備えるものとして説明したが、これに限らず、一度だけ使用可能なものであってもよく、第１連結部材は、第２連結部材よりも脆弱な線材等から構成されることにより、所定以上の力により第１連結部材が破断するものであってもよい。
【００５４】
また、第２連結部材６は、２本のゴム部材６０，６１は一端にそれぞれ形成される端部が開放したフック６０ａ，６１ｂにより係合され一体に接続されるものとして説明したが、どちらか一方は端部が開放しないリング状に構成されていてもよい。また、一方のフックは、外力により開閉する、いわゆるスイベル等の構成になっていてもよい。
【００５５】
また、第２連結部材６は、第１連結部材が分離する所定の力により破断することがなく、かつ第１連結部材よりも長い部材であれば、１本の部材により構成されていてもよい。
【００５６】
また、前記実施例では、釣り具は、引き縄漁において使用されるものとして説明したが、投げ釣りやぶっこみ釣り等の手持ちの釣りでも使用できる。
【符号の説明】
【００５７】
１                釣り具
２                ロッド
２ａ              先端部
３                リール
４                釣糸
５                第１連結部材（一方の連結部材）
６                第２連結部材（他方の連結部材）
５０              クラッチ装置（断接装置）
５１              第１分割体
５１ａ            円筒部
５１ｂ            収容部
５１ｃ            突出部
５１ｄ            貫通孔
５２              第２分割体
５３              開口部材
５３ａ            貫通孔（開口）
５４              磁石
５５，１５５      調整シム
５６              線材
６０，６１        ゴム部材
６０ａ，６１ａ    フック
２５０            クラッチ装置
２５１            第１分割体
２５１ｅ          スリット
３５０            クラッチ装置
３５１            第１分割体
３５１ｂ          収容部
３５１ｅ          凹部
３５１ｆ          規制片
３５１ｇ          バネ
３５２            第２分割体
【図１】
2019154355.tif 000003
【図２】
2019154355.tif 000004
【図３】
2019154355.tif 000005
【図４】
2019154355.tif 000006
【図５】
2019154355.tif 000007
【図６】
2019154355.tif 000008
【図７】
2019154355.tif 000009
【図８】
2019154355.tif 000010
【図９】
2019154355.tif 000011